(57)【要約】【課題】本発明は、ヘッド本体内部の接液流路を構成する接液部品を簡略に交換可能で飲料の汚れ防止を的確に図ることができ、かつ、接液部品も簡略安価であるディスペンスヘッドを提供する。【解決手段】本発明のディスペンスヘッドは、ビール等の飲料を充填した飲料容器４０の口金部４１にヘッド本体２の基部側を着脱可能に取り付け、飲料容器４０内の飲料をヘッド本体２内及び端部をヘッド本体２内に挿通した飲料ホース３を経て飲料サーバーに供給するディスペンスヘッド１であって、ヘッド本体２を飲料容器４０の口金部４１から外した状態で、ヘッド本体２内の飲料が接液流通する接液流路を構成する接液筒１６及び飲料ホース３をヘッド本体２の基部側から抜き取り可能に構成したものである。【選択図】図１
2009057054.tif 000002
【特許請求の範囲】
【請求項１】
ビール等の飲料を充填した飲料容器の口金部にヘッド本体の基部側を着脱可能に取り付け、飲料容器内の飲料をヘッド本体内から飲料ホースを経て飲料サーバーに供給するディスペンスヘッドであって、
前記ヘッド本体を飲料容器の口金部から外した状態で、前記ヘッド本体内の飲料が接液流通する接液流路を構成する接液部品を前記ヘッド本体の基部側から抜き取り可能に構成したことを特徴とするディスペンスヘッド。
【請求項２】
ビール等の飲料を充填した飲料容器の口金部にヘッド本体の基部側を着脱可能に取り付け、飲料容器内の飲料をヘッド本体内及び端部をヘッド本体内に挿通した飲料ホースを経て飲料サーバーに供給するディスペンスヘッドであって、
前記ヘッド本体を飲料容器の口金部から外した状態で、前記ヘッド本体内の飲料が接液流通する接液流路を構成する接液筒及び飲料ホースを前記ヘッド本体の基部側から抜き取り可能に構成したことを特徴とするディスペンスヘッド。
【請求項３】
ビール等の飲料を充填した飲料容器における開閉弁機構部を備えた口金部に、ヘッド本体の基部側を着脱可能に取り付け、飲料容器内の飲料をヘッド本体内、及び、端部をヘッド本体内に挿通した飲料ホースを経て飲料サーバーに供給するディスペンスヘッドにおいて、
前記ヘッド本体は、
外周部に、取り付け用アーム、炭酸ガス吸入口を具備するとともに、基部側に口金部への装着筒部を、突出端側にバネ受け凹部を備え、前記装着筒部からバネ受け凹部に至る貫通孔を穿設した装着体と、
内部にホース用孔とこのホース用孔より大径の接液筒用孔を貫通形成するとともに、外周部に炭酸ガス流路形成用の凹部を備え、前記バネ受け凹部から上方に突出する配置で前記貫通孔内にスライド可能に配置した軸筒と、
この軸筒の前記バネ受け凹部よりも上方突出位置に対して中心部を連結し、回動操作により軸筒を前記貫通孔内で上下動させる操作環と、
前記バネ受け凹部に配置され、前記軸筒及び操作環と装着体との間に付勢力を作用するバネ体と、
前記軸筒の接液筒用孔内に配置されるとともに、下端側を前記飲料容器の開閉弁機構部を構成する弁体側に臨ませ、上端側を前記ホース用孔内に挿通した飲料の接液流路を構成する接液部品である飲料ホースに連結した飲料の接液流路を構成する接液部品であり、外周部に上端側が前記軸筒下端に接触しつつその下端側が前記開閉弁機構部の弁受と接触して飲料、炭酸ガスの分離作用を発揮するパッキンを備えた接液筒と、
を有し、
前記ヘッド本体を飲料容器の口金部から外した状態で、前記接液部品である接液筒及び飲料ホースを前記パッキンを含めてヘッド本体の基部側から抜き取り可能に構成したことしたことを特徴とするディスペンスヘッド。
【請求項４】
ビール等の飲料を充填した飲料容器における開閉弁機構部を備えた口金部に、ヘッド本体の基部側を着脱可能に取り付け、飲料容器内の飲料をヘッド本体内、及び、端部をヘッド本体内に挿通した飲料ホースを経て飲料サーバーに供給するディスペンスヘッドであって、
前記ヘッド本体は、
外周部に、取り付け用アーム、炭酸ガス吸入口を具備するとともに、基部側に口金部への装着筒部を、突出端側にバネ受け凹部を備え、前記装着筒部からバネ受け凹部に至る貫通孔を穿設した装着体と、
内部にホース用孔とこのホース用孔より大径の接液筒用孔を貫通形成するとともに、外周部に炭酸ガス流路形成用の凹部を備え、前記バネ受け凹部から上方に突出する配置で前記貫通孔内にスライド可能に配置した軸筒と、
この軸筒の前記バネ受け凹部よりも上方突出位置に対して中心部を連結し、回動操作により軸筒を前記貫通孔内で上下動させる操作環と、
前記バネ受け凹部に配置され、前記軸筒及び操作環と装着体との間に付勢力を作用するバネ体と、
前記軸筒の接液筒用孔内に配置されるとともに、下端側を前記飲料容器の開閉弁機構部を構成する弁体側に臨ませ、上端側を前記ホース用孔内に挿通した飲料の接液流路を構成する接液部品である飲料ホースに連結した飲料の接液流路を構成する接液部品であり、外周部に上端側が前記軸筒下端に接触しつつその下端側が前記開閉弁機構部の弁受と接触して飲料、炭酸ガスの分離作用を発揮するパッキンを備えた接液筒と、
を有し、
前記ヘッド本体の外部に導出した飲料ホースと飲料サーバーとの間に接続具を用いて介在させた逆止弁機構部を備え、
前記ヘッド本体を飲料容器の口金部から外した状態で、前記接液部品である接液筒及び前記接続具から外した飲料ホースを前記パッキンを含めてヘッド本体の基部側から抜き取り可能に構成したことしたことを特徴とするディスペンスヘッド。
【発明の詳細な説明】
【技術分野】
【０００１】
本発明は、ディスペンスヘッドに関し、詳しくは、ビール等の飲料を充填した例えば樽状の飲料容器の口金部に取り付け、この飲料容器からビール等の飲料を抽出するために用いるディスペンスヘッドに関するものである。
【背景技術】
【０００２】
従来におけるビール等の飲料用のディスペンスヘッドの一例を、図７を参照して概説する。
【０００３】
同図に示す従来のディスペンスヘッド６１は、外周部に、取り付け用アーム６３、炭酸ガス吸入用の接続栓６４を具備するとともに、基部側にビール等の飲料容器８０の開閉弁機構部８１を備えた口金部８２への装着筒部６５を、突出端側にバネ受け凹部６６を備え、前記装着筒部６５からバネ受け凹部６６に至る貫通孔６７を穿設した装着体６２と、前記貫通孔６７内にバネ受け凹部６６から上方に突出する状態でスライド可能に配置されるとともに、内部を貫く接液孔６８内の上部に球体からなる逆止弁６９を備え、下端を前記開閉弁機構部８１に臨ませた軸筒７０と、前記軸筒７０のバネ受け凹部６６よりも上方突出位置に対して中心部を連結し、回動操作により前記バネ受け凹部６６の外周に摺接しつつ前記軸筒７０を前記貫通孔６７内で上下動させる操作環７１と、前記バネ受け凹部６６に配置したバネ７２とを有している。前記軸筒７０の上端には、図示しない飲料ホース用の接続栓７３を取り付けている。
【０００４】
このような構成のディスペンスヘッド６１は、前記操作環７１を回動操作して前記軸筒７０を下降又は上昇させることにより、飲料容器８０の開閉弁機構部８１を開き、かつ、前記接続栓６４に供給される炭酸ガスを飲料容器８０内に導入する飲料供給状態と、飲料容器８０の開閉弁機構部８１を閉じ、かつ、前記接続栓６４に供給される炭酸ガスの飲料容器８０内への導入を遮断する飲料供給停止状態とに切り替えることができる。
【０００５】
ところで、上述したディスペンスヘッド６１を使用してビール等の飲料をビールサーバ等に供給する場合、ビール等の飲料の汚れ防止等の衛生面の観点から、ディスペンスヘッド６１の内部や、ビールホース等の接液部品を水通し洗浄することが不可欠となる。
【０００６】
この場合、ビールホースは比較的安価であることから汚れ防止のため交換してもさほど支障は生じないが、ディスペンスヘッド６１に関しては内部に逆流防止のための逆止弁を備えること、接液部品の交換を考慮した構成になっていないこと、高価格であること等の理由で頻繁に交換することは困難である。
【０００７】
すなわち、ビール等の飲料を顧客に供給する際の衛生面確保の観点からは、ビールホースのみならずディスペンスヘッド６１自体も必要に応じて早目に交換することが好ましいが、ビールホースの交換にとどまりディスペンスヘッド６１は長期間にわたって使用継続するのが現状である。
【０００８】
特許文献１には、吸入口と吐出口とを有し、飲料容器に装着された状態でマニュアル操作した場合に飲料容器のバルブ手段を動作させることにより、吸入口と吐出口との接続状態を変更するように構成し、飲料容器のバルブ手段が開成した場合に飲料容器の内部を経て吸入口及び吐出口の間を連通する第１の連通経路と、飲料容器のバルブ手段が閉成した場合に飲料容器の内部を経ることなく吸入口及び吐出口の間を連通する第２の連通経路とを具備するディスペンスヘッドが開示されている。
【０００９】
しかし、この特許文献１の場合も、ディスペンスヘッド内部の接液流路を構成する接液部品自体を交換するよう構成したものではない。
【特許文献１】特開２００６−３６２２１号公報
【発明の開示】
【発明が解決しようとする課題】
【００１０】
本発明が解決しようとする問題点は、ディスペンスヘッド内部の接液流路を構成する接液部品自体を簡略に交換可能とし、使用状況に応じて接液部品を新たなものと交換することで飲料の汚れ防止を的確に図ることができ、かつ、接液部品も簡略安価であるディスペンスヘッドが存在しない点である。
【課題を解決するための手段】
【００１１】
本発明は、ビール等の飲料を充填した飲料容器の口金部にヘッド本体の基部側を着脱可能に取り付け、飲料容器内の飲料をヘッド本体内から飲料ホースを経て飲料サーバーに供給するディスペンスヘッドであって、前記ヘッド本体を飲料容器の口金部から外した状態で、前記ヘッド本体内の飲料が接液流通する接液流路を構成する接液部品を前記ヘッド本体の基部側から抜き取り可能に構成したことを最も主要な特徴とする。
【発明の効果】
【００１２】
請求項１記載の発明によれば、ヘッド本体内の飲料が接液流通する接液流路を構成する接液部品を前記ヘッド本体の基部側から抜き取り可能に構成したものであるから、使用状況に応じて接液部品を新たなものと交換することで飲料の汚れ防止を的確に図ることができるディスペンスヘッドを提供することができる。
【００１３】
請求項２記載の発明によれば、ヘッド本体を飲料容器の口金部から外した状態で、ヘッド本体内の飲料が接液流通する接液流路を構成する接液部品である接液筒及び飲料ホースをヘッド本体の基部側から抜き取り可能に構成したしたものであるから、使用状況に応じて接液筒及び飲料ホースを新たなものと交換することで飲料の汚れ防止を的確に図ることができ、かつ、接液部品が簡略安価であることから、維持費用も低廉で済むディスペンスヘッドを提供することができる。
【００１４】
請求項３記載の発明によれば、ヘッド本体を飲料容器の口金部から外した状態で、接液部品である接液筒及び飲料ホースをパッキンを含めてヘッド本体の基部側から抜き取り可能に構成したしたものであるから、使用状況に応じてパッキンを含む接液筒及び飲料ホースを新たなものと交換することで飲料の汚れ防止を的確に図ることができ、かつ、請求項２記載の発明の場合と同様、接液部品が簡略安価であることから、維持費用も低廉で済むディスペンスヘッドを提供することができる。
【００１５】
請求項４記載の発明によれば、請求項３記載の発明と同様な効果を奏するとともに、飲料サーバー側からヘッド本体側への飲料の逆流を確実に阻止することもできるディスペンスヘッドを提供することができる。
【発明を実施するための最良の形態】
【００１６】
本発明は、ディスペンスヘッド本体内部の接液流路を構成する接液部品自体を簡略に交換可能とし、使用状況に応じて接液部品を新たなものと交換することで飲料の汚れ防止を的確に図ることができ、かつ、接液部品も簡略安価であるディスペンスヘッドを提供するという目的を有するものである。
本発明は、上記目的を、ビール等の飲料を充填した飲料容器における開閉弁機構部を備えた口金部に、ヘッド本体の基部側を着脱可能に取り付け、飲料容器内の飲料をヘッド本体内、及び、端部をヘッド本体内に挿通した飲料ホースを経て飲料サーバーに供給するディスペンスヘッドにおいて、前記ヘッド本体は、外周部に、取り付け用アーム、炭酸ガス吸入口を具備するとともに、基部側に口金部への装着筒部を、突出端側にバネ受け凹部を備え、前記装着筒部からバネ受け凹部に至る貫通孔を穿設した装着体と、内部にホース用孔とこのホース用孔より大径の接液筒用孔を貫通形成するとともに、外周部に炭酸ガス流路形成用の凹部を備え、前記バネ受け凹部から上方に突出する配置で前記貫通孔内にスライド可能に配置した軸筒と、この軸筒の前記バネ受け凹部よりも上方突出位置に対して中心部を連結し、回動操作により軸筒を前記貫通孔内で上下動させる操作環と、前記バネ受け凹部に配置され、前記軸筒及び操作環と装着体との間に付勢力を作用するバネ体と、前記軸筒の接液筒用孔内に配置されるとともに、下端側を前記飲料容器の開閉弁機構部を構成する弁体側に臨ませ、上端側を前記ホース用孔内に挿通した飲料の接液流路を構成する接液部品である飲料ホースに連結した飲料の接液流路を構成する接液部品であり、外周部に上端側が前記軸筒下端に接触しつつその下端側が前記開閉弁機構部の弁受と接触して飲料、炭酸ガスの分離作用を発揮するパッキンを備えた接液筒と、を有し、前記ヘッド本体を飲料容器の口金部から外した状態で、前記接液部品である接液筒及び飲料ホースを前記パッキンを含めてヘッド本体の基部側から抜き取り可能に構成することにより実現した。
【実施例】
【００１７】
以下に、本発明の実施例に係るディスペンスヘッドについて図面を参照して詳細に説明する。
【００１８】
（実施例１）
図１乃至図５を参照して本発明の実施例１に係るディスペンスヘッド１について説明する。
【００１９】
本実施例１に係るディスペンスヘッド１は、図５に示すように、ビール等の飲料を充填した飲料容器４０の口金部４１にヘッド本体２の基部側を着脱可能に取り付け、飲料容器４０内のビール等の飲料をヘッド本体２内、及び、端部をヘッド本体２内に挿通した飲料の接液流路を構成する接液部品である飲料ホース３を経て公知の飲料サーバー５０に供給するように構成している。
【００２０】
また、前記ヘッド本体２に対して炭酸ガス容器４８からガスホース４９を介して炭酸ガス（ＣＯ２）を供給するように構成している。
【００２１】
本実施例１に係るディスペンスヘッド１について図１を参照して詳述する。
【００２２】
このディスペンスヘッド１のヘッド本体２は、外周部に、飲料容器４０に取り付けるための取り付け用アーム４、炭酸ガス吸入口５を具備するとともに、基部側に前記口金部４１への装着筒部６を、突出端側にバネ受け凹部７を備え、前記装着筒部６からバネ受け凹部７に至る貫通孔８を穿設した装着体９と、内部にホース用孔１０とこのホース用孔１０より大径の接液筒用孔１１を上下配置に貫通形成するとともに、外周部に炭酸ガス流路形成用の凹部１２を備え、前記バネ受け凹部７から上方に突出する配置で前記貫通孔８内にスライド可能に配置した軸筒１３と、この軸筒１３の前記バネ受け凹部７よりも上方突出位置に対して該軸筒１３が貫通する状態で中心部を連結し、前記軸筒１３の周りの回動操作により例えば図示省略するが螺旋機構部により軸筒１３を前記貫通孔８内で上下動（上昇又は下降）させる操作環１４と、前記バネ受け凹部７内に配置され、前記軸筒１３及び操作環１４と、前記装着体９との間に付勢力を作用する例えばコイルバネからなるバネ体１５と、前記軸筒１３の接液筒用孔１１内に配置した飲料の接液流路を構成する接液部品である接液筒１６とを有している。
【００２３】
前記接液筒１６は、その下端１６ａ側を前記飲料容器４０の開閉弁機構部４２を構成する弁体４３側に臨ませ、上端側を前記ホース用孔１０内に挿通した飲料ホース３に連結している。
【００２４】
また、前記接液筒１６は、その外周下部に、上端側が前記軸筒１３下端に接触しつつ軸筒１３が下降したとき、図２に示すように、その下端側が前記開閉弁機構部４２の弁受４４と接触して飲料、炭酸ガスの分離作用を発揮する環状のパッキン１７を備えている。
前記装着体９の装着筒部６には、口金部４１の前記開閉弁機構部４２の外側を占める内装筒体４５に設けた開口部に密着する上部パッキン６ａ及び前記口金部４１の内装筒体４５に設けた段孔４５ａに密着する下部パッキン６ｂを配置している。また、前記軸筒１３の長さ方向で前記凹部１２の上側及び下側には、図３に示すように前記装着筒部６の貫通孔８内壁に密着する一対の環状の軸筒パッキン１３ａを配置している。
【００２５】
前記開閉弁機構部４２は、前記内装筒体４５の内側から飲料容器４０の内方に延在した飲料誘導筒４６を具備し、この飲料誘導筒４６の上端に略環状の弁受４４を装着するとともに、弁受４４の下側に弁体４３を配置している。
【００２６】
そして、前記飲料誘導筒４６の弁体４３を内装する上部４６ａ側をこの上部４６ａに連なる下部４６ｂよりも少し大径とし、上部４６ａ、下部４６ｂの境界内壁に形成される段部４６ｃと前記弁体４３の外周段部との間にコイルバネからなる弁体バネ４７を配置して、常時弁体４３を前記弁受４４側に付勢するように構成している。
【００２７】
また、前記飲料誘導筒４６の上部４６ａ側の外周に臨ませて固定配置に突片４６ｄを設け、この突片４６ｄと前記飲料誘導筒４６に装置した弁受４４の外周下部側との間にコイルバネからなる弁受バネ４７ａを配置して常時弁受４４を前記内装筒体４５の開口側に付勢するように構成している。
【００２８】
すなわち、前記開閉弁機構部４２は、前記弁受４４が前記内装筒体４５の開口側に接触し、かつ、前記弁体４３が弁受４４の開口を閉塞する図１に示す閉位置と、前記操作環１４の操作により軸筒１３、接液筒１６が下降し、接液筒１６の下端１６ａが弁体４３を下方に押して、飲料容器４０の飲料が飲料誘導筒４６、弁体４３と弁受４４との隙間、接液筒１６、飲料ホース３内を経て前記飲料サーバー５０に向けて流通する図２に示す開位置とに変化するように構成している。
【００２９】
また、図１に示す閉位置においては、前記軸筒１３の軸筒パッキン１３ａが前記炭酸ガス吸入口５の下側で前記貫通孔８の内壁に密着し、これにより、炭酸ガス容器４８からの炭酸ガスがヘッド本体２内に流入することを阻止するように構成している。
【００３０】
一方、図２に示す開位置においては、前記軸筒１３の凹部１２が前記炭酸ガス吸入口５に対向し、かつ、軸筒１３の外周と前記装着筒部６の内周との間に隙間が形成されて、炭酸ガス容器４８からの炭酸ガスがヘッド本体２内を経て飲料容器４０内へ流入するように構成している。
【００３１】
更に、本実施例１に係るディスペンスヘッド１は、上述したように、前記軸筒１３にホース用孔１０とこのホース用孔１０より大径の接液筒用孔１１を上下配置に貫通形成するとともに、ホース用孔１０内に飲料ホース３を配置し、接液筒用孔１１内にパッキン１７を具備する接液筒１６を配置しており、かつ、接液筒１６の下端１６ａ側を前記軸筒１３の下端より下方に突出させた構成としている。
【００３２】
従って、例えば、一定期間前記ヘッド本体２内にビール等の飲料を流通させた後、図３、図４にも示すように、前記ヘッド本体２を飲料容器４０の口金部４１から外した状態で、前記接液筒１６及び飲料ホース３を前記パッキン１７を含めてヘッド本体２の軸筒１３の基部側から抜き取り、新たな（未使用の）接液筒１６及び飲料ホース３と交換することが可能となっている。
【００３３】
以上説明した本実施例１に係るディスペンスヘッド１によれば、特に、ヘッド本体２内部の接液流路を構成する接液部品である前記接液筒１６及び飲料ホース３を前記パッキン１７を含めてヘッド本体２の基部側から容易に抜き取り、新たなパッキン１７を含む接液筒１６及び飲料ホース３と交換することができ、これにより、ディスペンスヘッド１の使用状況に応じて前記接液部品を新たなものと交換することで、飲料の汚れ防止を的確に図り、清浄な飲料を前記ディスペンスヘッド１から飲料ホース３を経て飲料サーバー５０に供給して顧客等に提供することができる。
【００３４】
また、本実施例１に係るディスペンスヘッド１によれば、前記接液部品を前記パッキン１７を含む接液筒１６及び飲料ホース３により構成しているので、前記接液部品全体を簡略安価に構成でき、ディスペンスヘッド１全体を交換する場合に比べはるかに低価格で済み、ビール等の飲料供給システムの維持費用を安価とすることができる。
【００３５】
（実施例２）
次に、図６を参照して本発明の実施例２に係るディスペンスヘッド１Ａについて説明する。
【００３６】
本実施例２に係るディスペンスヘッド１Ａの基本的構成は図１に示す実施例１のディスペンスヘッド１と同一であり、前記ディスペンスヘッド１の場合と同一の要素には同一符号を付し、その詳細説明は省略する。
【００３７】
図６に示す実施例２に係るディスペンスヘッド１Ａは、前記ヘッド本体２の構成に加えて、ヘッド本体２の外部（上方）に導出した飲料ホース３と飲料サーバー５０との間に前記飲料ホース３が着脱可能である接続具５１を用いて介在させた逆止弁機構部５２を備えたことが特徴であり、この他の構成は前記ヘッド本体２の構成と同一である。
【００３８】
前記逆止弁機構部５２は、ヘッド本体２側に配置する下側から飲料ホース３の一端が装着可能であり、かつ、内底部に下側ほど小径となるテーパ状の弁座５４を設けた下部筒５３と、この下部筒５３内に配置する球体からなる逆止弁５５と、前記下部筒５３の上端部に装着した上部筒５６と、を具備している。
【００３９】
前記上部筒５６は、その上部側に飲料ホース３を装着して飲料サーバー５０に連通させるとともに、前記上部筒５６の下部筒５３と対向する開口内に前記逆止弁５５に当接する突部５７を設け、これにより、ヘッド本体２から逆止弁機構部５２の下部筒５３、上部筒５６を経て飲料サーバー５０に飲料が流れるとき、前記逆止弁５５が突部５７に当接して逆止弁機構部５２内で飲料の流路を確保するようにしている。
【００４０】
逆に、飲料サーバー５０側から逆止弁機構部５２の上部筒５６、下部筒５３を経てヘッド本体２側に飲料が流れようとする場合には、前記逆止弁５５が飲料に押されて前記弁座５４側に圧接し、これにより、飲料サーバー５０側からヘッド本体２側への飲料の逆流を阻止するように構成している。
【００４１】
以上説明した本実施例２に係るディスペンスヘッド１Ａによれば、接液部品の交換に際して前記ヘッド本体２の外部に導出した飲料ホース３を接続具５１から外すことによって、既述した実施例１のディスペンスヘッド１の場合と同様、接液部品である前記接液筒１６及び飲料ホース３を前記パッキン１７を含めてヘッド本体２の基部側から容易に抜き取ることができ、これにより、ディスペンスヘッド１の使用状況に応じて前記接液部品を新たなものと交換することで、飲料の汚れ防止を的確に図り、清浄な飲料を前記ディスペンスヘッド１から飲料ホース３を経て飲料サーバー５０に供給して顧客等に提供することができる。
【００４２】
また、本実施例２に係るディスペンスヘッド１Ａによれば、前記接液部品を前記パッキン１７を含む接液筒１６及び飲料ホース３により構成しているので、実施例１のディスペンスヘッド１の場合と同様、前記接液部品全体を簡略安価に構成でき、ディスペンスヘッド１Ａ全体を交換する場合に比べはるかに低価格で済み、ビール等の飲料供給システムの維持費用を安価とすることができる。
【００４３】
更に、本実施例２に係るディスペンスヘッド１Ａによれば、上述したような逆止弁機構部５２を備えているので、飲料サーバー５０側からヘッド本体２側への飲料の逆流を確実に阻止することができ、ヘッド本体内に逆止弁機構を備えた従来型のディスペンスヘッドと比較しても機能的に遜色のないディスペンスヘッド１Ａとすることができる。
【産業上の利用可能性】
【００４４】
本発明のディスペンスヘッドにおける接液部品の構成は、上述した実施例のディスペンスヘッドに適用する他、図示しない種々の形態のディスペンスヘッドに関しても広範に応用可能である。
【図面の簡単な説明】
【００４５】
【図１】本発明の実施例１に係るディスペンスヘッドの構成（閉状態）を示す概略断面図である。
【図２】本実施例１に係るディスペンスヘッドの構成（開状態）を示す概略断面図である。
【図３】本実施例１に係るディスペンスヘッドにおける軸筒、接液部品である接液筒及び飲料ホースを示す断面図である。
【図４】本実施例１に係るディスペンスヘッドにおける軸筒から接液部品である接液筒及び飲料ホースを抜き取った状態示す断面図である。
【図５】本実施例１に係るディスペンスヘッドを含むビール等の飲料供給システムの全体を示す概略説明図である。
【図６】本発明の実施例２に係る逆止弁機構を付加したディスペンスヘッドを示す概略構成図である。
【図７】従来のディスペンスヘッドの構成を示す概略断面図である。
【符号の説明】
【００４６】
１    ディスペンスヘッド
１Ａ  ディスペンスヘッド
２    ヘッド本体
３    飲料ホース
４    取り付け用アーム
５    炭酸ガス吸入口
６    装着筒部
６ａ  上部パッキン
６ｂ  下部パッキン
７    凹部
８    貫通孔
９    装着体
１０    ホース用孔
１１    接液筒用孔
１２    凹部
１３    軸筒
１３ａ  軸筒パッキン
１４    操作環
１５    バネ体
１６    接液筒
１６ａ  下端
１７    パッキン
４０    飲料容器
４１    口金部
４２    開閉弁機構部
４３    弁体
４４    弁受
４５    内装筒体
４５ａ  段孔
４６    飲料誘導筒
４６ａ  上部
４６ｂ  下部
４６ｃ  段部
４６ｄ  突片
４７    弁体バネ
４７ａ  弁受バネ
４８    炭酸ガス容器
４９    ガスホース
５０    飲料サーバー
５１    接続具
５２    逆止弁機構部
５３    下部筒
５４    弁座
５５    逆止弁
５６    上部筒
５７    突部
【図１】
2009057054.tif 000003
【図２】
2009057054.tif 000004
【図３】
2009057054.tif 000005
【図４】
2009057054.tif 000006
【図５】
2009057054.tif 000007
【図６】
2009057054.tif 000008
【図７】
2009057054.tif 000009